(57)【要約】本発明は、プロジェクタのライトエンジンに可動式ミラーを適用することによるスペックルの低減のためのシステム（２００，３００，７００，８００）及び方法を提供する。多モード導波路（２０４）の入射面に対してミラー面を画像化することにより、ビームは時間変化角度で導波路（２０４）に入射する。この導波路（２０４）が表示パネルを照明するように用いられるとき、スクリーンにおける投影画像は時間変化スペックルパターンを有する。ミラーの周期は目の積分時間よりかなり短いため、低減されたスペックル強度が得られる。導波路を用いることにより、モードスクランブリングによりスペックル強度を更に低減することができる。
2009527772.tif 000002
【特許請求の範囲】
【請求項１】
表面に二次元画像を表示する表示装置であって：
レーザ光源からのレーザビームを入力として受け入れ、均一化され且つ拡大されたレーザビームを出力する多モード導波路；
前記均一化され且つ拡大されたレーザビームで走査する、それ故、前記レーザビームで角度的に走査する振動ミラー；
インプリントされた前記角度走査を有する前記振動ミラーの面の画像を受け入れる面を有する光変調パネルであって、前記光変調パネルは、前記振動ミラーの前記面の前記画像の画素毎の強度を変調する、光変調パネル；
第２レンズであって、該第２レンズに対して前記振動ミラーが前記振動ミラーの前記面の前記画像を走査する、第２レンズであり、前記第２レンズは、前記振動ミラーの前記面の前記画像が前記光変調パネルにおいて安定しているように、前記光変調パネルの前記面に対して前記振動ミラーの前記面を画像化するようになっている、第２レンズ；並びに
前記光変調パネルの前記投影表面及び前記第２レンズがインプリントされた前記角度走査を保つように、前記光変調パネルの前記面を前記表面に投影する投影レンズ；
を有する表示装置であって、
投影された画像におけるレーザスペックルの視認性を低減する；
表示装置。
【請求項２】
請求項１に記載の表示装置であって、前記多モード導波路の入力ファセットに前記レーザ光源からの前記レーザビームを結合する第１レンズを更に有する、表示装置。
【請求項３】
請求項１に記載の表示装置であって、前記レーザスペックルの前記視認性は１０％より大きい量、低減される、表示装置。
【請求項４】
請求項１に記載の表示装置であって、前記第２レンズは、収差を低減し、テレセントリック照明を与えるリレー光学系である、表示装置。
【請求項５】
請求項４に記載の表示装置であって、前記多モード導波路は、複数の透過性モードを許容し、それにより、前記レーザビームの空間的コヒーレンスを摂動し、前記レーザスペックルのコントラストを低減する、表示装置。
【請求項６】
請求項４に記載の表示装置であって、前記多モード導波路は、ポリマー光ファイバ（ＰＯＦ）、矩形形状導波路及び円形形状導波路を有する群から選択される、表示装置。
【請求項７】
請求項４に記載の表示装置であって、前記光変調パネルは、一次元光変調パネル及び付加走査ミラー、又は二次元光変調パネルの一である、表示装置。
【請求項８】
請求項７に記載の表示装置であって、前記光変調パネルは、二次元ＬＣＤパネル、二次元ＤＭＤ、フォイルバー変調器及びグレーティングライトバルブを有する群から選択される、表示装置。
【請求項９】
請求項８に記載の表示装置であって、前記多モード導波路は、ポリマー光ファイバ（ＰＯＦ）、矩形形状導波路及び円形形状導波路を有する群から選択される、表示装置。
【請求項１０】
請求項９に記載の表示装置であって、前記多モード導波路は、複数の透過性モードを許容し、それにより、前記レーザビームの空間的コヒーレンスを摂動し、前記レーザスペックルのコントラストを低減する、表示装置。
【請求項１１】
請求項１０に記載の表示装置であって、前記第２レンズは、収差を低減し、テレセントリック照明を与えるリレー光学系である、表示装置。
【請求項１２】
スクリーンに二次元画像を表示する表示装置であって：
画像面において静止画像としてレーザビームを画像化するレンズ；
振動ミラーであって、前記レンズの面に対して前記振動ミラーの面の画像として前記レーザビームを走査する、振動ミラー；
インプリントされた角度走査を有する均一化された光ビームを結合し、且つ出力するように、前記画像面において位置付けられている入射ファセットを有する多モード導波路；
画素毎に強度を変調する光変調パネル；並びに
前記光ビームがインプリントされた角度走査を保つように、前記スクリーンに対して前記光変調パネルを画像化する投影レンズ；
を有する表示装置であり、
投影された画像におけるレーザスペックルの視認性を低減する；
表示装置。  
【請求項１３】
請求項１２に記載の表示装置であって、前記多モード導波路の入力ファセットに前記レーザ光源からの前記レーザビームを結合する第１レンズを更に有する、表示装置。
【請求項１４】
請求項１２に記載の表示装置であって、収差を低減し、テレセントリック照明を与える前記光変調パネルと前記多モード導波路の端部ファセットとの間にリレー光学系を更に有する、表示装置。
【請求項１５】
請求項１２に記載の表示装置であって、前記多モード導波路は、複数の透過性モードを許容し、それにより、前記レーザビームの空間的コヒーレンスを摂動し、前記レーザスペックルのコントラストを低減する、表示装置。
【請求項１６】
請求項１２に記載の表示装置であって、前記多モード導波路は、ポリマー光ファイバ（ＰＯＦ）、矩形形状導波路及び円形形状導波路を有する群から選択される、表示装置。
【請求項１７】
請求項１２に記載の表示装置であって、前記光変調パネルは、一次元光変調パネル及び付加走査ミラー、又は二次元光変調パネルの一である、表示装置。
【請求項１８】
請求項１２に記載の表示装置であって、前記光変調パネルは、二次元ＬＣＤパネル、二次元ＤＭＤ、フォイルバー変調器及びグレーティングライトバルブを有する群から選択される、表示装置。
【請求項１９】
請求項１８に記載の表示装置であって、前記多モード導波路は、ポリマー光ファイバ（ＰＯＦ）、矩形形状導波路及び円形形状導波路を有する群から選択される、表示装置。
【請求項２０】
請求項１９に記載の表示装置であって、前記多モード導波路は、複数の透過性モードを許容し、それにより、前記レーザビームの空間的コヒーレンスを摂動し、前記レーザスペックルのコントラストを低減する、表示装置。
【請求項２１】
表示スクリーンに二次元画像を表示する表示装置であって：
振動ミラーであって、該振動ミラーの面の画像としてレーザビームを走査し、それにより、角度走査をインプリントする、振動ミラー；
レンズであって、該レンズに対して、前記振動ミラーが前記振動ミラーの前記面の前記画像を走査する、レンズであって、該レンズは、インプリントされた角度走査を有する前記振動ミラーの前記面を画像化する、レンズ；
光変調パネルであって、該光変調パネルに対して、前記レンズがインプリントされた角度走査を有する前記振動ミラーの前記面を画像化し、前記光変調パネルは、前記角度走査を保つ変調レーザビームを出力するように、前記振動ミラーの前記面の前記画像の画素毎の強度を変調する、光変調パネル；並びに
前記変調レーザビームがインプリントされた前記角度走査を保ち、投影された画像が安定しているように、前記光変調パネルの前記面を前記表示スクリーンに投影する投影レンズ；  
を有する表示装置であり、
投影された画像におけるレーザスペックルの視認性を低減する；
表示装置。
【請求項２２】
請求項２１に記載の表示装置であって、前記レーザスペックルの前記視認性は１０％より大きい量、低減される、表示装置。
【請求項２３】
請求項２１に記載の表示装置であって、前記第２レンズは、収差を低減し、テレセントリック照明を与えるリレー光学系である、表示装置。
【請求項２４】
請求項２１に記載の表示装置であって、前記光変調パネルは、一次元光変調パネル及び付加走査ミラー、又は二次元光変調パネルの一である、表示装置。
【請求項２５】
請求項２４に記載の表示装置であって、前記光変調パネルは、二次元ＬＣＤパネル、二次元ＤＭＤ、フォイルバー変調器及びグレーティングライトバルブを有する群から選択される、表示装置。
【請求項２６】
請求項２４に記載の表示装置であって、前記第２レンズは、収差を低減し、テレセントリック照明を与えるリレー光学系である、表示装置。
【請求項２７】
表示スクリーンに二次元画像を表示する方法であって：
振動ミラーを用いて該振動ミラーの面の画像としてレンズに対してレーザビームを走査する段階であって、それにより、角度走査をインプリントする、段階；
インプリントされた角度走査を有する前記振動ミラーの前記面を前記レンズにより光変調パネルに画像化する段階；
画素毎に強度を前記光変調パネルにより変調する段階；並びに
変調されたレーザビームが前記インプリントされた角度走査を保ち、投影された画像が安定しているように、前記光変調パネルの前記面を前記スクリーンに投影する段階；
を有する方法であり、
投影された画像におけるレーザスペックルの視認性を低減する；
方法。  
【請求項２８】
請求項２７に記載の方法であって、前記レーザスペックルの前記視認性は１０％より大きい量、低減される、方法。
【請求項２９】
請求項２７に記載の方法であって、前記第２レンズは、収差を低減し、テレセントリック照明を与えるリレー光学系である、方法。
【請求項３０】
請求項２９に記載の方法であって、前記光変調パネルは、一次元光変調パネル及び付加走査ミラー、又は二次元光変調パネルの一である、方法。
【請求項３１】
請求項３０に記載の方法であって、前記光変調パネルは、二次元ＬＣＤパネル、二次元ＤＭＤ、フォイルバー変調器及びグレーティングライトバルブを有する群から選択される、方法。  
【発明の詳細な説明】
【技術分野】
【０００１】
本発明は、レーザスペックルの視認性の低減に関する。特に、本発明は、画像をぼかすことなく、画像がスクリーンに投影される角度を変調することにより、レーザスペックルの視認性を低減するシステム、装置及び方法を提供する。
【背景技術】
【０００２】
レーザ投影ディスプレイの実現において最もやりがいのある課題の１つは、所謂、スペックルのための画像解像度の低下である。多かれ少なかれ光が粗い表面により散乱される場合に、スペックルは現れる（図１を参照されたい）。その表面は、個々の光線間の経路差をもたらし、その経路差はインプリント（ｉｍｐｒｉｎｔｅｄ）位相差をもたらす。それらの光線が再結合する場合、インプリント位相差は干渉に繋がる（光線干渉がその位相差に建設的に又は破壊的にまさに依存するに拘わらず）。観測者がレーザ照明スクリーンを見ている場合、散乱レーザ光は網膜において干渉パターンを生成し、その干渉パターンは、虹彩の直径及び目のレンズの状態（焦点距離及びそのレンズと網膜との間の距離）等の人間の目の光学パラメータ並びにスクリーンの表面構造に依存する。観測者は明るい領域及び薄暗い領域を認識し、目の空間的位置が変化している場合に、それらの明るい領域及び薄暗い領域は変化する。観測者の頭が前方又は後方に動く場合にそれぞれ、スポットは小さく又は大きくなる。目の左右方向のゆっくりした動きは、スペックルパターンのかなり速い動きをもたらす可能性がある。このスペックルの影響は、レーザ投影画像の摂動されない視覚を不可能にする。
【０００３】
一般に、スペックルの出現を低減する２つの方法がある。
【０００４】
第１の方法は、レーザビームの空間的又は時間的コヒーレンスを低減することであり、それは、所謂、コヒーレント長により決定される。コヒーレント長は、経路長として定義され、その経路長の後に、２つの個別の光線は明確な位相関係を失い、もはや干渉することはできない。スクリーン構造の表面粗さ以下にレーザビームのコヒーレント長を減少させることが可能である場合、光線は観測者の網膜において干渉しない。この効果は、レーザ画像を全体的にデスペックル（ｄｅ−ｓｐｅｃｋｌｅ）する。レーザ源は、光の発生のために誘導放出を用いるため、レーザ光はかなり長いコヒーレント長を有する。比較すると、白色の太陽光は、約１μｍのコヒーレント長を有し、レーザダイオードの発光は５００μｍ乃至１ｍｍの範囲内にあり、そして高安定化ガスレーザは数百メートルのコヒーレント長を有することが可能である。従って、干渉が起こらないレベルまでレーザ照射のコヒーレンスを低減することは困難である。空間的又は時間的コヒーレンスの十分な低減は幾つかの方法により達成することができる。例えば、一の方法は、ランダム位相差を生成する移動式拡散器と、経路差、又は高度の多モード光導波路において存在するモードスクランブリングを生成する多数の光ファイバとを用いる。
【０００５】
スペックルを低減する第２の方法は、目の自然の積分時間を用いることである。人間の目は、１つの画像に関して約５０ｍｓｅｃで積分する。２０Ｈｚより高い周波数でスペックルパターンを変化させることが可能である場合、目は、幾つかの僅かに異なるスペックルパターンを積分し、そのことはスペックルコントラストを低下させる。この目的を達成する簡単な方法は、スクリーンを振動させることである。
【０００６】
（可動式）レーザ投影ディスプレイに対して、スペックル低減機構は、軽量、小型及び安価である必要がある。更に、その機構は、幾つかの機械部品を有し、低消費電力であり、観測者が知覚しないように、投影画像をデスペックルする必要がある。レーザビームのコヒーレンスを低減する殆どの機構は、それらの実際的な境界条件に適合しないことが容易に理解できる。例えば、移動式拡散器を用いるスペックル低減装置は、多くの光学構成要素を有し、複雑な可動式機構要素を使用する。このことは、大きく、重く、高価で、ロバストでない装置をもたらす。他方、異なるファイバ長のファイバの束を用いることは、かなり大きい装置と、低レベルのスペックル低減性と、大きい減衰及び挿入損失のための光の損失とをもたらす。
【０００７】
人間の目の干渉を利用するように、振動スクリーンを考慮するとき、大きいスクリーンのための複雑な機械構成が必要であり、更に専用のスクリーンが必要であることは可動式投影システムによっては適合されない。
【発明の開示】
【発明が解決しようとする課題】
【０００８】
本発明は、画像をぼかすことなく、画像がスクリーン上に投影される角度を変調することにより、レーザスペックルの視認性を低減するシステム、装置及び方法を提供する。
【課題を解決するための手段】
【０００９】
第１の好適な装置の実施形態は、振動ミラーにより走査される照射用レーザ光源と、画像が静止している画像面に対してミラー面を画像化するレンズと、導波路への良好な結合を有するように画像面に置かれた多モード導波路の入射ファセットと、二次元光変調パネルを透過する導波路からの均一化された光出力と、スクリーンに光変調パネルを画像化する投影レンズとを有する。
【００１０】
図３に示すように、ファイバの入射ファセットへのレーザビームの画像化は、導波路に対する簡単な結合、即ち、内部全反射の臨界角において３０１及び３０３を結合し、個別のモードについての異なる遷移速度及び導波路内の複数の反射のために、ビーム経路が折り返され、それ故、装置は通常のホモジナイザとして機能し、そのホモジナイザにおいてレーザビームの個別の光線は導波路の端部ファセットを走査するような正弦波状で３０１乃至３０３を走査する。
【００１１】
第１の実施形態においては、その装置は、１つの対象点からもたらされる各々の光線が１つの画像点に画像化され、入射の走査角（光線とレンズ２０３との間の）が変化するとき、レンズ２０３の屈折力は変化し（レンズ軸までの距離の関数として）、１つの安定な画像面が結果的に生成されるような振動周波数を有する入射の走査角度を有するミラーを有する。
【００１２】
図７は、多モード導波路７０３にコリメートされたレーザ放射を結合するカップリングレンズ７０２と、リレー光学系７０５の第１レンズ面に導波路を出射する広げられた均一なレーザビームを走査する振動ミラー７０４であって、リレー光学系７０５は収差の影響を最小化し、２Ｄ光変調パネル７０６に対して単一の走査光線を画像化する、振動ミラー７０４と、２Ｄ光変調パネルとスクリーン７０８との間に位置付けられている投影レンズ７０７であって、その投影レンズ７０７は、角度走査が画像にインプリントされ、その画像をデスペックルするようにスクリーン７０８に対して光変調パネル７０６を画像化する、投影レンズ７０７と、を有する装置の第２の好適な実施形態を示している。
【００１３】
図８は、レンズの表面に対してコリメートされたレーザビームを走査する振動ミラー８０２と、２Ｄ光変調パネル８０４に対して振動ミラー８０２のミラー面を画像化するリレー光学系８０３と、２Ｄ光変調パネルとスクリーン８０６との間に位置付けられている投影レンズ８０５であって、その投影レンズ８０５は、角度走査が画像にインプリントされ、その画像をデスペックルするようにスクリーン８０６に対して光変調パネル８０４を画像化する、投影レンズ８０５と、を有する装置の第３の好適な実施形態を示している。
【発明を実施するための最良の形態】
【００１４】
本発明は、人間の目のかなり長い積分時間を利用することによりレーザ画像化システムについてのスペックルの視認性を低減する装置のためのシステム、装置及び方法を提供する。
【００１５】
装置２００の第１の好適な実施形態について、図２に示している。その好適な装置は、コリメートレーザ光ビームを生成するためのコリメートレーザ光源（例えば、レーザダイオード又はＤＰＳＳレーザ）２０１と、振動ミラー２０２と、レンズ２０３と、多モード導波路（例えば、ポリマー光ファイバ（ＰＯＦ）又は矩形／円形状導波路）２０４と、一次元又は二次元光変調パネル（例えば、２Ｄ  ＬＣＤパネル又はフォイルバー変調器）２０５と、投影レンズ２０６と、を有する。振動ミラーは、レンズ２０３の表面に対してコリメートされたレーザ光ビームを走査する。図２Ａは、テレセントリック照明（例えば、リレー光学系２０８）が画像化するために用いられる図２における装置の代替の実施形態及び表示パネル２０５に対して導波路２０４の端部ファセットを示している。レンズ２０３は、画像面において振動ミラー２０２の面を画像化し、そのミラーの画像は移動せず、即ち、静止している（図４を参照されたい）。多モード導波路２０４の入射ファセットは静止画像面に位置付けられ、コリメートレーザ光ビーム（振動ミラー２０２により走査され、画像面において静止画像としてレンズ２０３により画像化される）は、図３に示すように、多モード導波路２０４の透過性導波路モードの範囲に結合される。
【００１６】
レーザビームがレンズ２０３に衝突する位置及び入射角が時間の経過と共に変化するにつれて、光ビームが導波路２０４に結合される角度は、振動ミラー２０２の周波数に等しい周波数と共に変化する。それ故、透過性モードにおいては、光ビームが時間の経過と共に変化するように結合され、光ビームの光線経路が複数の内部反射のために折り返される。光ビームの単一な光線は、導波路の端部ファセット５０２を角度走査する無限数の小さいコーン状光源５０１を有する第２光源であると導波路の端部ファセット５０２がみなされるように、導波路の端部ファセット５０２を走査する（図５を参照されたい）。それ故、光ビームは角度走査によりインプリントされる。
【００１７】
更に、光ビームの均一性が同時に得られる。
【００１８】
導波路２０４を出射した後、光ビームは光変調パネル２０５を透過し、光ビームがそのインプリントされた角度走査を保つように投影レンズ２０６によりスクリーン２０７上に画像化される。投影レンズ２０６により画像化されるとき、単一の光線がスクリーン２０７に衝突する角度は変化し（角度走査され）、結果として得られるスペックルパターンは変化する。高い周波数におけるミラーの正弦波状振動は、得られるスペックルパターンの高速変調に繋がり、それは人間の目により積分される。このことは、観測者が得られたレーザスペックルを知覚することを大きく低減させる。
【００１９】
スペックルコントラストを低減させる他の効果は、多モード導波路２０４において現れる、所謂、モードスクランブリングである（図６を参照されたい）。光が多モード導波路２０４に結合されているとき、複数の透過性モードが励起される。最高速モード６０３は、低損失及び低減衰のために、まっすぐに進み、最も大きいパワーを有する。内部全反射の条件を更に満たす最も低速のモード６０１は、上記のモードに比較して、かなり長い経路を進まなければならない。複数の反射及びより大きい減衰のために、この最低速モード６０１は、より小さい光パワーを搬送する。それらの２つの極限状態の間で、複数の透過性モードが励起される６０２。励起モード６０１乃至６０３の数は、導波路２０４の組成に、例えば、基板の屈折率並びに導波路の周囲の物質及び寸法に依存する。再低速モード６０１と最高速モード６０３との間の差分については、容易に計算することができる。結果として得られる時間差は、経路差に関連し、そのことは、画像化ビームの減少されたコヒーレント長に繋がる。それ故、複数の透過性モード６０１乃至６０３の励起は、放射の空間コヒーレンスの摂動によるスペックルコントラストの更なる低減に繋がる。
【００２０】
第２の好適な装置の実施形態について図７に示している。コリメートされたレーザビームは、オプションの第１レンズ７０２により多モード導波路７０３に結合される。振動ミラー７０４は、第２レンズ７０５の表面に対して導波路７０３を励起する均一化され且つ拡大されたレーザビームで走査され（この実施例の場合においては、収差を低減し、テレセントリック照明を得るように、リレー光学系が用いられている）、それは、光変調パネル７０６に対してミラー表面を画像化する。投影レンズ７０７は、スクリーン７０８上に光変調パネル７０６を画像化する。画像化光線はそのインプリントされた角度走査を保ち、スペックルコントラストは上記のように低減される。
【００２１】
第２の実施形態の装置の１つの短所は、レーザ光学系が得られる拡大されたレーザビームを画像化する必要があることである。更に、走査ミラーが、レーザ光源７０１に近接していないことである。それ故、そのミラーにおいて画像化された強度パターンは、幾分拡大され、立ち下がりエッジを有する。
【００２２】
スペックルの低減のために角度走査を用いる他の方法は、図８に示す第３の好適な装置の実施形態である。この第３の実施形態においては、振動ミラー８０２は、レンズ表面８０３に振動レーザ光源８０１からのレーザビームにより走査される（この場合、リレー光学系８０３は、収差を低減し、テレセントリック照明を得、ビームを拡大するためのものである）。レンズ８０３は、光変調パネル８０４に対して走査レーザビームを画像化し、その光変調パネル８０４は静止画像面において位置付けられている。投影レンズ８０５は、ビームが左右方向には走査されないが、角度的に走査されるスクリーン８０６において安定した画像面に対して左右方向走査ビームを画像化する。上記のように、スペックルの低減が得られる。
【００２３】
第１及び第２実施形態においては、導波路は、更なる代替の実施形態を得る類似する方法において取り除かれることが可能である。
【００２４】
上記の装置において用いられる光変調パネルは、好適には、一次元又は二次元光変調パネル（例えば、ＬＣＤパネル）である。用いられる変調導波路は、好適には、矩形状導波路、円形状導波路及びポリマー光ファイバ（ＰＯＦ）を有する群から選択される。第１実施形態は、角度走査の回転点を必要としない光パネルが画像化されるために、次善のピクチャ性能を与えるものである。回転点は導波路の端部ファセットである。完全なピクチャ性能を得るように、両面レンズが導波路の端部ファセットと光パネルとの間に位置付けられることが可能である。このように、導波路の端部ファセットは、光パネルに対して画像化され、それらの両方は角度走査の回転点である。
【００２５】
上記の装置の全ての実施形態は、代替の実施形態を得るために誘導構造の有無に拘わらず、用いられることが可能である。導波路が用いられるとき、装置の小型化及びビームの均一性が１つのステップにおいて得られる。更に、導波路を用いない装置は、より小さい焦点深度を有する。短所は可搬型プロジェクタについてのものであるが、導波路を用いないそれらの後者の実施形態は、高感度の自動焦点システムを製造するように用いられることが可能である。
【００２６】
コリメートされたレーザ光源は上記の好適な装置の実施形態において用いられるが、発散光源がまた、用いられることが可能である。
【００２７】
複数の装置の実施形態が、上記のレーザスペックル再生技術を実現するように提供され、第２の実施形態が最も好適なものであるが、上記の本発明の装置の実施形態は例示であり、種々の変形及び修正が可能であり、同時提出の特許請求の範囲における真の範囲から逸脱することなく、同等なものをその要素で置き換えることが可能であることを当業者は理解することができるであろう。更に、多くの修正により、本発明の中心範囲から逸脱することなく、特定の状況に本発明の教示を適応させることが可能である。それ故、本発明は、本発明を実行するために検討された最適なモードとして開示されている特定の実施形態に限定されるものではないが、本発明は、請求項の範囲内にある実施形態の全て及び実行技術の全てを網羅するように意図されている。
【図面の簡単な説明】
【００２８】
【図１】構造化表面により反射される光線を示し、層１、２及び３において光線干渉し、スペックルパターンをもたらし、スペックルパターンは各々の層について変化することを示す図である。
【図２】本発明に従った、第１の好適な装置の実施形態を示す図である。
【図２Ａ】図２の光導波路の端部ファセットを表示パネルに対して画像化するように、テレセントリック照明を用いる代替の第１の好適な実施形態を示す図である。
【図３】個別の光線が導波路の端部ファセットを走査するように、導波路にビームを結合することを示す図である。
【図４】光線の入射の走査角度及びレンズが変化するとき、レンズの屈折パワーが変化し、１つの安定な画像面が生成されるレンズを示す図である。
【図５】導波路を出射する光線が角度的に走査されることを示す図である。
【図６】多モード導波路における複数の透過性モードの伝搬について示す図である。
【図７】本発明に従って、第２の好適な装置の実施形態を示す図である。
【図８】本発明に従った好適な装置の実施形態を示す図である。
【図１】
2009527772.tif 000003
【図２】
2009527772.tif 000004
【図２Ａ】
2009527772.tif 000005
【図３】
2009527772.tif 000006
【図４】
2009527772.tif 000007
【図５】
2009527772.tif 000008
【図６】
2009527772.tif 000009
【国際調査報告】
2009527772.tif 000010
2009527772.tif 000011
2009527772.tif 000012